(57)【要約】【課題】ユーザの希望に添ったオペレータにて案内サービスを提供することを可能にし、オペレータの管理を容易にするネットワークサーバを提供すること。【解決手段】ＡＳＰサーバ１３に備えられた管理用記憶装置２０にユーザごとに案内サービスを提供するオペレータに対する評価を表した評価リストを記憶する。そして、ＡＳＰサーバ１３は、ユーザの携帯電話１１から受信した該携帯電話１１の電話番号からユーザを判断し、前記管理用記憶装置２０を参照して該ユーザの評価リストを検索する。次に、ＡＳＰサーバ１３は、ユーザが該評価リストを参照しつつ、オペレータを指定して携帯電話１１とオペレータの案内端末１４との通話回線を接続するように指示することを可能にする指定接続ボタンを含むオペレータ指定画面に関するページデータを該携帯電話１１に送信する。【選択図】        図１
2004343220.tif 000002
【特許請求の範囲】
【請求項１】
ネットワークを介してユーザが操作する携帯端末とオペレータが操作する案内端末との通話回線を接続するネットワークサーバにおいて、
前記ユーザの前記オペレータに対する評価を表した評価リストを記憶した管理用記憶手段と、
前記携帯端末から受信した該携帯端末固有の認証番号からユーザを判断し、前記管理用記憶手段から該ユーザの評価リストを検索し、ユーザが該評価リストを参照しつつ、オペレータを指定して前記携帯端末と前記案内端末との通話回線を接続するように指示することを可能にするボタンオブジェクトを表示するページデータを該携帯端末に送信する選択表示手段と、
を備えたことを特徴とするネットワークサーバ。
【請求項２】
前記選択表示手段は、オペレータを示すボタンオブジェクトを評価リストに基づいて、該ユーザの評価の高い順番に並べ替えて表示するようにしたページデータを送信することを特徴とする請求項１に記載のネットワークサーバ。
【請求項３】
前記管理用記憶手段は、オペレータの勤務データを記憶しており、
前記管理用記憶手段を参照して、該案内端末のオペレータの勤務データから該オペレータがユーザに対して対応可能か否か判断し、対応が可能なときに、該案内端末と該携帯端末との通話回線の接続を許可する接続先指定転送手段と、
を備えたことを特徴とする請求項１又は２に記載のネットワークサーバ。
【請求項４】
ネットワークを介してユーザが操作する携帯端末とオペレータが操作する案内端末との通話回線を接続するネットワークサーバにおいて、
オペレータの勤務データを記憶した管理用記憶手段と、
前記管理用記憶手段を参照して、該案内端末のオペレータの勤務データから該オペレータがユーザに対して対応可能か否か判断し、対応が可能なときに、該案内端末と該携帯端末との通話回線を接続する転送手段と、
を備えたことを特徴とするネットワークサーバ。
【請求項５】
前記案内端末からオペレータがユーザに対してサービスの提供をすることが可能であるか否かを示す勤務状態を受信し、受信した勤務状態を逐次前記管理用記憶手段に記憶された勤務データに反映する管理手段を備えたことを特徴とする請求項３又は４に記載のネットワークサーバ。
【請求項６】
前記携帯端末と前記案内端末との通話回線が接続状態であるときに前記案内端末から緊急通知を受信した際、該通話回線を切断し、該携帯端末と緊急対応専門のオペレータが操作する緊急時用案内端末との通話回線を接続する緊急時転送手段を備えたことを特徴とする請求項１〜５のいずれか一項に記載のネットワークサーバ。
【請求項７】
ネットワークを介して店舗に設置された入力端末と接続される代金代納サーバが接続され、
前記管理用記憶手段は、通話回線をあとどれだけ接続することを許可するか示す使用可能金額をユーザごとに記憶しており、
前記携帯端末から受信した認証番号と、代金納入用カードに付与されたカード番号及び店舗に支払う登録金額を前記代金代納サーバに送信し、該代金代納サーバにカード番号に関係付けて該登録金額を代金代納サーバが備える登録用記憶手段に記憶させる入金登録手段と、
前記入力端末から前記カード番号に関係付けられた登録金額と同額の代金を店舗に対して支払われた旨の通知を確認したことを知らせる支払確認通知を前記代金代納サーバから受信し、前記使用可能金額に該登録金額の分だけ加算して記憶する入金確認手段と、
を備えたことを特徴とする請求項１〜６のいずれか一項に記載のネットワークサーバ。
【発明の詳細な説明】
【０００１】
【発明の属する技術分野】
本発明は、ネットワークサーバに関するものである。
【０００２】
【従来の技術】
近年、法律の改正や交通手段の発達等に伴い、国外から移住者や旅行者等（以下、ユーザという）が増加傾向にある。
【０００３】
しかしながら、ユーザは、その国において通常使用される言語を理解できない場合が多く、また、その国の地理、法律または一般常識等の知識が不足している場合が多い。
【０００４】
このため、従来から、ユーザが携帯電話にてネットワークサーバに対して通訳や案内をするオペレータの電話との通話回線を接続するように指示すると、ネットワークサーバが該携帯電話と該電話との通話回線を接続するような通信システムにより、ユーザに案内サービスを提供してきた（例えば、特許文献１）。
【０００５】
【特許文献１】
特開２００２−２２３３０３号公報
【０００６】
【発明が解決しようとする課題】
しかし、このような通信システムにおいて、ユーザは携帯電話等を介してオペレータと直接通話してコミュニケーションを取るため、オペレータが一定のマニュアルに従って対応するにもかかわらず、ユーザの嗜好や要望によりユーザごとにオペレータに対する評価が変化した。従って、特許文献１に開示されている発明では、ユーザの希望に添ってユーザがオペレータを自由かつ簡単に選択できないシステムには問題があった。
【０００７】
一方、オペレータを雇用し管理するサービスの提供者側が、ユーザの希望に添ったオペレータと迅速に通話できるようにするには、各オペレータの勤務状態、連絡先及びユーザからの評価等を一括して逐次把握できるようにしなくてはならない。このため、サービスの提供者側は、多数のユーザのさまざまな要望に添うことが可能なほど多数のオペレータを雇用すればするほど、オペレータの管理が煩雑になるといった問題があった。
【０００８】
そこで、本発明は、上記問題点を解決するためになされたものであって、その目的は、ユーザの希望に添ったオペレータにて案内サービスを提供することを可能にし、オペレータの管理を容易にするネットワークサーバを提供することにある。
【０００９】
【課題を解決するための手段】
上記目的を達成するために、請求項１に記載の発明は、ネットワークを介してユーザが操作する携帯端末とオペレータが操作する案内端末との通話回線を接続するネットワークサーバにおいて、前記ユーザの前記オペレータに対する評価を表した評価リストを記憶した管理用記憶手段と、前記携帯端末から受信した該携帯端末固有の認証番号からユーザを判断し、前記管理用記憶手段から該ユーザの評価リストを検索し、ユーザが該評価リストを参照しつつ、オペレータを指定して前記携帯端末と前記案内端末との通話回線を接続するように指示することを可能にするボタンオブジェクトを表示するページデータを該携帯端末に送信する選択表示手段と、を備えた。
【００１０】
請求項２に記載の発明は、前記選択表示手段は、オペレータを示すボタンオブジェクトを評価リストに基づいて、該ユーザの評価の高い順番に並べ替えて表示するようにしたページデータを送信する。
【００１１】
請求項３に記載の発明は、前記管理用記憶手段は、オペレータの勤務データを記憶しており、前記管理用記憶手段を参照して、該案内端末のオペレータの勤務データから該オペレータがユーザに対して対応可能か否か判断し、対応が可能なときに、該案内端末と該携帯端末との通話回線の接続を許可する接続先指定転送手段と、を備えた。
【００１２】
請求項４に記載の発明は、ネットワークを介してユーザが操作する携帯端末とオペレータが操作する案内端末との通話回線を接続するネットワークサーバにおいて、オペレータの勤務データを記憶した管理用記憶手段と、前記管理用記憶手段を参照して、該案内端末のオペレータの勤務データから該オペレータがユーザに対して対応可能か否か判断し、対応が可能なときに、該案内端末と該携帯端末との通話回線を接続する転送手段と、を備えた。
【００１３】
請求項５に記載の発明は、前記案内端末からオペレータがユーザに対してサービスの提供をすることが可能であるか否かを示す勤務状態を受信し、受信した勤務状態を逐次前記管理用記憶手段に記憶された勤務データに反映する管理手段を備えた。
【００１４】
請求項６に記載の発明は、前記携帯端末と前記案内端末との通話回線が接続状態であるときに前記案内端末から緊急通知を受信した際、該通話回線を切断し、該携帯端末と緊急対応専門のオペレータが操作する緊急時用案内端末との通話回線を接続する緊急時転送手段を備えた。
【００１５】
請求項７に記載の発明は、ネットワークを介して店舗に設置された入力端末と接続される代金代納サーバが接続され、前記管理用記憶手段は、通話回線をあとどれだけ接続することが許可するか示す使用可能金額をユーザごとに記憶しており、前記携帯端末から受信した認証番号と、代金納入用カードに付与されたカード番号及び店舗に支払う登録金額を前記代金代納サーバに送信し、該代金代納サーバにカード番号に関係付けて該登録金額を代金代納サーバが備える登録用記憶手段に記憶させる入金登録手段と、前記入力端末から前記カード番号に関係付けられた登録金額と同額の代金を店舗に対して支払われた旨の通知を確認したことを知らせる支払確認通知を前記代金代納サーバから受信し、前記使用可能金額に該登録金額の分だけ加算して記憶する入金確認手段と、を備えた。
【００１６】
（作用）
請求項１に記載の発明によれば、ユーザは、ユーザの携帯端末にてオペレータの評価を参照しつつ、オペレータを指定して該オペレータの案内端末と携帯端末の通話回線を接続する。このため、ユーザにとって、自分の希望に添ってオペレータを自由かつ簡単に選択できる。
【００１７】
請求項２に記載の発明によれば、ユーザの評価の高い順番にオペレータが表示されるので、ユーザは、オペレータを選択するのが容易となる。
請求項３に記載の発明によれば、オペレータの勤務状態から、ユーザに対して応対可能なオペレータを判断してから、ユーザの携帯端末と接続可能な案内端末と通話回線を接続するようにする。このため、ユーザは、無駄に待たされることなく、また、オペレータの雇用者は、オペレータが対応可能か否かを常に把握しなくてもよくなり、オペレータの管理が容易になる。
【００１８】
請求項４に記載の発明によれば、オペレータの勤務状態からユーザの携帯端末と接続可能な案内端末を判断し、通話回線を接続するようにする。このため、ユーザは、無駄に待たされることなく、また、オペレータの雇用者は、オペレータが対応可能か否かを常に把握しなくてもよくなり、オペレータの管理が容易になる。
【００１９】
請求項５に記載の発明によれば、オペレータの案内端末からオペレータの勤務状態を受信し、記憶手段に逐次記憶するため、オペレータの雇用者は、オペレータの勤務状態を常に把握しなくてもよくなり、オペレータの管理が容易になる。また、オペレータは、自分の適した勤務時間で働くことが容易にできる。
【００２０】
請求項６に記載の発明によれば、オペレータの指示により、携帯端末と緊急対応専門のオペレータが操作する緊急時用案内端末との通話回線を接続する。このため、雇用者は、オペレータに対して長期間の訓練をしなくてもよくなる。
【００２１】
請求項７に記載の発明によれば、ユーザは、サービスの提供を受けるために個人情報を入力する必要が無くなり、また、サービスの提供者は、ユーザに対してその利用時間から請求金額を計算し、請求する等の手間を省くことが可能となる。
【００２２】
【発明の実施の形態】
以下、本発明を具体化した一実施形態を図面に従って説明する。
図１は、通信システムの概略構成図である。
【００２３】
ユーザが所有する携帯端末としての携帯電話１１は、ネットワークとしてのインターネット１２を介して案内サービスをユーザの携帯電話１１に提供するネットワークサーバとしてのＡＳＰサーバ１３と接続されている。ＡＳＰサーバ１３は、さらに、インターネット１２を介してオペレータが所有する案内端末１４及び専門オペレータが所有する緊急時用案内端末１５に接続される。該案内端末１４は、各オペレータの家庭に設置される。また、ＡＳＰサーバ１３は、該オペレータを雇用しているＡＳＰ契約会社の管理端末１６とインターネット１２を介して接続されており、該管理端末１６からコンテンツの提供を受け、また、該管理端末１６に対してオペレータの勤務情報及びユーザからのアクセス状況等の情報を提供する。さらに、ＡＳＰサーバ１３は、代金代納サーバ１７と接続されており、該代金代納サーバ１７とユーザから代金が納入されたか否かについて確認を行う。代金代納サーバ１７は、店舗に設置されている入力端末１８と接続されている。
【００２４】
携帯電話１１について説明する。
前記携帯電話１１には、インターネット１２を介してＡＳＰサーバ１３が提供するＷｅｂコンテンツを表示部にて閲覧することができる閲覧機能が備えられている。つまり携帯電話１１は、所望のＵＲＬを入力することでＡＳＰサーバ１３が提供するＷｅｂコンテンツを閲覧することができる。また、携帯電話１１には、通話機能が備えられており、所定の番号がボタン操作にて入力されると、該番号の指定先と通話回線を接続することができる。
【００２５】
案内端末１４について説明する。
案内端末１４は、通話機能が備えられている。従って、該案内端末１４を指定するＩＰアドレスが携帯電話１１等によって指定されることによって、通話回線を接続することができ、該携帯電話と通話することが可能となる。尚、オペレータは、日本語と英語を話すことができ、この案内端末１４を利用して、ユーザに対して通訳、道案内若しくはチケットの購入方法等についての案内サービスを提供する。
【００２６】
また、案内端末１４には、勤務状態通知機能が備えられており、オペレータは、案内端末１４のボタンを操作して自らの勤務状態を入力することができる。詳しくは、案内端末１４に「ログイン」、「ログアウト」、「業務開始」、「後処理中」、「業務終了」と表示されたボタンオブジェクトがボタン操作にて選択されることにより、案内端末１４は選択されたボタンオブジェクトに対応する勤務状態をオペレータのオペレータ名とともにＡＳＰサーバ１３に送信する。尚、案内端末１４が携帯電話１１と通話回線を接続したときは、案内端末１４が自らの判断でＡＳＰサーバ１３に対して「対応中」であることを示す勤務状態をオペレータ名と共に送信する。
【００２７】
さらに、案内端末１４には、緊急通知機能が備えられている。案内端末１４は、オペレータのボタン操作により緊急通知を送信するためのボタンオブジェクトが選択されると、現在接続されている携帯電話１１と通話回線を一度切断し、緊急時用案内端末１５に該携帯電話１１との通話回線を接続するように要求する旨の緊急通知をＡＳＰサーバ１３に対して送信する。
【００２８】
緊急時用案内端末１５は、特別な訓練を受けた又は特別な知識を有する専門オペレータが所有しており、該専門オペレータは、通常のオペレータでは対応ができない特殊な要望を持つユーザに対して案内サービスを提供する。例えば、専門オペレータは、法律に関する高度な知識を有しており、法律について詳しく知りたいというユーザに対して案内サービスを提供することができる。尚、緊急時用案内端末１５の基本的な機能は、案内端末１４と同じである。
【００２９】
店舗について説明する。
店舗は、オペレータを雇用するＡＳＰ契約会社の代わりに、案内サービスの提供を受けるための代金の支払をユーザから受ける仲介業務を行う。
【００３０】
店舗は、代金納入用カードを配布しており、該代金納入用カードには、カード番号がそれぞれ付与されている。この代金納入用カードは、ユーザが案内サービスの提供を受けるためにＡＳＰサーバ１３に登録するときと、案内サービスを利用するための代金を支払うときに利用される。
【００３１】
また、店舗には入力端末１８が設置されており、該入力端末１８は、携帯電話１１のユーザがＡＳＰサーバ１３に案内サービスの提供を受けるための代金を店舗に納める際にユーザ又は店舗の店員により使用される。
【００３２】
詳述すると、ユーザが代金納入用カードを提示して案内サービスを利用するための代金を店舗に支払う場合、まず、店舗の店員は、入力端末１８に該代金納入用カードのカード番号を入力する。入力端末１８は、入力されたカード番号を代金代納サーバ１７に送信し、代金代納サーバ１７から通知が在るまで待機する。代金代納サーバ１７から該カード番号がＡＳＰサーバ１３に登録されていない旨の通知を受信すると、入力端末１８は、その旨を画面に表示して店員及びユーザに知らせる。代金代納サーバ１７から、ユーザが代金納入用カードを使用してＡＳＰサーバ１３に対して登録した登録金額を受信すると、入力端末１８は、該登録金額を画面に表示して店員に示す。店員は、ユーザからその登録金額と同額の代金の支払いを受けた後、入力端末１８にその旨を入力すると、入力端末１８は、支払い通知を代金代納サーバ１７に対して送信する。このようにして、ユーザは、案内サービスの提供を受けるための代金を支払う。
【００３３】
代金代納サーバ１７について説明する。
代金代納サーバ１７は、ユーザが携帯電話１１にてＡＳＰサーバ１３に対して案内サービスの提供を受けるために登録した登録金額と同額の代金をユーザに対して請求し、該代金が支払われた際にはその旨を通知する役割を有する。
【００３４】
代金代納サーバ１７は、登録用記憶手段としての登録用記憶装置１９が備えられており、該登録用記憶装置１９には、前記代金納入用カードに付与されたカード番号からなる登録リストが記憶されている。該登録リストを構成するカード番号には、それぞれＡＳＰサーバ１３から受信した登録金額が関係付けられて記憶されている。
【００３５】
また、代金代納サーバ１７は、ユーザが携帯電話１１にてＡＳＰサーバ１３に対して案内サービスの提供を受けるために登録した登録金額を前記登録用記憶装置１９に記憶する登録機能を有する。
【００３６】
詳しくは、代金代納サーバ１７は、案内サービスの提供を受けるために登録された登録金額を納められるのを確認するためにＡＳＰサーバ１３からカード番号及び登録金額を受信すると、登録用記憶装置１９に記憶された登録リストの中から、受信したカード番号を検索する。そして、代金代納サーバ１７は、検索したカード番号に関係付けて受信した登録金額を登録用記憶装置１９に記憶する。その後、代金代納サーバ１７は、ＡＳＰサーバ１３に対して正常終了通知を送信し、登録機能を終了する。
【００３７】
また、代金代納サーバ１７は、入力端末１８を利用してユーザに対して案内サービスを提供するための代金をＡＳＰサーバ１３の代わりに請求し、ＡＳＰサーバ１３に対して支払われたことを通知する支払通知機能を有する。
【００３８】
詳しくは、代金代納サーバ１７は、入力端末１８からカード番号を受信すると、該登録リストの中から該カード番号を検索し、検索したカード番号に関係付けられて記憶されている登録金額を前記入力端末１８に対して送信する。その後、代金代納サーバ１７が入力端末１８から支払い通知を受信すると、ＡＳＰサーバ１３に対して、カード番号及び登録金額と共に支払いされた旨の通知を送信する。その後、代金代納サーバ１７は、該カード番号に関係付けられた登録金額を消去する。
【００３９】
ＡＳＰサーバ１３について説明する。
前記ＡＳＰサーバ１３には、オペレータ及びユーザを管理し、また、通信システムを管理するために、管理用記憶手段としての管理用記憶装置２０や様々な機能が備えられている。該管理用記憶装置２０には、図２に示すようなユーザの携帯電話１１固有の認証番号としての電話番号からなるユーザリスト２１と、図３に示すようなオペレータを示すオペレータ名からなるオペレータリスト２２と、専門オペレータを示すオペレータ名からなる専門オペレータリストが記憶されている。
【００４０】
ユーザリスト２１に記憶されている各電話番号には、該電話番号が示す携帯電話１１を所有するユーザに係わる認証データ２３と評価リスト２４がそれぞれ関係付けられて記憶されている。
【００４１】
認証データ２３は、使用可能金額と、パスワードと、１又は複数のカード番号から構成される支払確認用番号リストからなる。該支払確認用番号リストを構成するカード番号は、店舗に配布される代金納入カードのカード番号であり、ユーザが案内サービスの提供を受けるためにＡＳＰサーバ１３に登録した際に記憶されたものである。また、使用可能金額は、ＡＳＰサーバ１３が通話回線をあとどれだけの時間接続することを許可して、案内サービスの提供をするかを示している。パスワードは、登録した本人か否か認証するために使用される。
【００４２】
評価リスト２４は、案内サービスを提供するオペレータのオペレータ名から構成されており、各オペレータ名には、該オペレータ名が示すオペレータに対するユーザの評価が関係付けられている。
【００４３】
オペレータリスト２２に記憶されている各オペレータ名には、オペレータ名が示すオペレータが所有する案内端末１４を指定するためのＩＰアドレス２５と、該オペレータに係わる勤務データ２６とが関係付けられて記憶されている。勤務データ２６は、オペレータの勤務状態と勤務記録が記憶されている。該勤務状態は、「ログイン」、「業務開始」、「後処理中」、「業務終了」、「ログアウト」、「対応中」の６つの状態分けてオペレータの現在の状態を記憶している。「ログイン」は、オペレータがＡＳＰサーバ１３にアクセスしているが、携帯電話１１と通話回線を接続することができない状態であることを示している。「業務開始」は、現在オペレータがオペレータとして勤務しており、かつ、携帯電話１１との通話回線を接続可能な状態であることを示している。「後処理中」とは、現在オペレータは勤務しているが、データ入力、書類作成等の処理を行っているために、他の携帯電話１１との通話回線を接続しても対応できない状態を示している。「業務終了」とは、現在オペレータがオペレータとして勤務しておらず、かつ、携帯電話１１との通話回線を接続ができない状態であることを示している。「ログアウト」は、オペレータが案内端末１４から離れ、携帯電話１１と通話回線を接続することができない状態であることを示している。「対応中」は、現在オペレータがオペレータとして勤務しており、かつ、携帯電話１１との通話回線が接続されているために他の携帯電話１１との通話回線を接続することができない状態を示している。これらの勤務状態は、前述したように、案内端末１４からオペレータにより勤務状態を示すボタンオブジェクトが選択された旨をＡＳＰサーバ１３が受信したときに、又は、案内端末１４と携帯電話１１との通話回線が接続されていると判断したときに、ＡＳＰサーバ１３が後述する管理機能に従って変更する。また、勤務記録は、オペレータの勤務状態が変更した時間の履歴である。尚、専門オペレータリストも前記オペレータリスト２２と同様の構成をしているので、詳細な説明を省略する。
【００４４】
また、ＡＳＰサーバ１３には、案内サービスをユーザに提供するために入金登録機能、入金確認機能、認証機能、通常転送機能、指定付き転送機能、オペレータ選択機能及び管理機能等の諸機能が備えられている。
【００４５】
入金登録手段としての入金登録機能について説明する。図４は、入金登録機能についてのフローチャートである。
ＡＳＰサーバ１３は、使用可能金額を増やすために携帯電話に表示された料金登録画面にて入力されたユーザの電話番号、カード番号、登録金額及びパスワードを受信すると（ステップ１０１）、ユーザリスト２１に受信したユーザの電話番号が登録されているか否か検索する（ステップ１０２）。
【００４６】
ユーザリスト２１に受信した電話番号が登録されていないと判断した場合、（つまり、ユーザが初めて登録すると判断した場合等）、該カード番号を受信した登録金額とともに代金代納サーバ１７に送信する（ステップ１０３）。そして、ＡＳＰサーバ１３は、代金代納サーバ１７から前記登録機能に従って処理されることにより送信される通知を待つ。代金代納サーバ１７から前記正常終了通知を受信した後（ステップ１０４）、ＡＳＰサーバ１３は、入金登録機能に従って、ユーザリスト２１に該電話番号を加え、受信したカード番号及びパスワードを関係付けて記憶する（ステップ１０５）。そして、ＡＳＰサーバ１３は、携帯電話１１に対して入金登録が終了した旨のメッセージデータを送信し（ステップ１０６）、入金登録機能を終了する。
【００４７】
ユーザリスト２１に受信した電話番号が登録されていると判断した場合（つまり、料金支払いが２回目以上であると判断した場合）、ＡＳＰサーバ１３は、ユーザリスト２１を参照し、該電話番号に関係付けられている支払確認用番号リストに受信したカード番号が含まれているか否か検索する（ステップ１０７）。受信したカード番号がユーザリスト２１に含まれていた場合、ＡＳＰサーバ１３は、カード番号が二重登録であると判断する。つまり、ＡＳＰサーバ１３は、ユーザがあるカード番号で入金登録をした後、その代金を支払う前に同じカード番号で、再び入金登録しようとしたと判断する。このとき、ＡＳＰサーバ１３は、入金登録機能に従って、携帯電話１１に対して二重登録である旨のメッセージデータ（つまり、エラー通知）を送信し（ステップ１０８）、入金登録機能を終了する。
【００４８】
ステップ１０７において、受信したカード番号がユーザリスト２１に含まれていなかった場合（つまり、二重登録でない場合）、該カード番号を受信した登録金額とともに代金代納サーバ１７に送信する（ステップ１０９）。そして、ＡＳＰサーバ１３は、代金代納サーバ１７から前記登録機能に従って処理されることにより送信される通知を待つ（ステップ１１０）。代金代納サーバ１７から前記正常終了通知を受信した後、ＡＳＰサーバ１３は、入金登録機能に従って、ユーザリスト２１の、料金登録画面にて入力された電話番号に関係付けられた支払確認用番号リストに受信したカード番号を記憶する（ステップ１１１）。そして、ＡＳＰサーバ１３は、携帯電話１１に対して入金登録が終了した旨のメッセージデータを送信し（ステップ１０６）、入金登録機能を終了する。
【００４９】
入金確認手段としての入金確認機能について説明する。図５は、入金確認機能についてのフローチャートである。
ＡＳＰサーバ１３は、代金代納サーバ１７から前記支払通知機能に従って処理されることにより送信されるカード番号、登録金額及び支払い通知を受信すると（ステップ１２１）、入金確認機能に従って、ユーザリスト２１の中から該カード番号を検索する（ステップ１２２）。そして、該カード番号に関係付けられている電話番号を検索し、該電話番号に関係付けられている使用可能金額に対して受信した登録金額を加算する（ステップ１２３）。そして、ＡＳＰサーバ１３は、代金代納サーバ１７に対して確認終了通知を送信する（ステップ１２４）。その後、ＡＳＰサーバ１３は、入金確認機能を終了する。
【００５０】
認証手段としての認証機能について説明する。図６は、認証機能についてのフローチャートである。
ＡＳＰサーバ１３は、認証画面に入力された電話番号及びパスワードを受信すると（ステップ１３１）、管理用記憶装置２０に記憶されたユーザリスト２１を参照して該電話番号が存在するか否か検索する（ステップ１３２）。尚、認証画面は、ユーザが案内サービスの提供を受けることができる者であるかについて認証を行うために携帯電話１１に表示される画面である。
【００５１】
認証画面に入力された電話番号がユーザリスト２１に存在することを確認した後、ＡＳＰサーバ１３は、該電話番号に関係付けられて記憶されたパスワードと、受信したパスワードが一致するか確認する（ステップ１３３）。ＡＳＰサーバ１３は、受信したパスワードが該電話番号に関係付けられて記憶されたパスワードと一致することを確認すると、該電話番号に関係付けられて記憶されている利用可能金額を確認する（ステップ１３４）。
【００５２】
利用可能金額が充分あることを確認した場合、ＡＳＰサーバは、該電話番号を入力したユーザは案内サービスの提供を受けることが可能であると認証する。そして、ＡＳＰサーバ１３は、オペレータとの通話回線を接続して案内サービスを該ユーザに対して提供するために、オペレータを選択するオペレータ選択画面に関するページデータを携帯電話１１に送信する（ステップ１３５）。その後、ＡＳＰサーバ１３は、認証機能を終了する。
【００５３】
該利用可能金額が充分でないことを確認した場合、ＡＳＰサーバ１３は、携帯電話１１に対して案内サービスを利用するための代金が充分支払われていない旨のメッセージデータを送信し、ユーザに登録させるために料金登録画面に関するページデータを送信する（ステップ１３６）。その後、ＡＳＰサーバ１３は、認証機能を終了する。
【００５４】
ステップ１３３において、パスワードが一致しないことを確認すると、ＡＳＰサーバ１３は、ユーザの携帯電話１１に対してパスワードが一致しない旨のメッセージデータを送信し、ユーザに再びパスワードを入力させるために認証画面に関するページデータを再送信する（ステップ１３７）。その後、ＡＳＰサーバ１３は、認証機能を一旦終了する。
【００５５】
ステップ１３２において、該電話番号が存在しないことを確認すると、ＡＳＰサーバ１３は、ユーザの携帯電話１１に対して登録されていない旨のメッセージデータを送信し、ユーザに登録させるために料金登録画面に関するページデータを送信する（ステップ１３８）。その後、ＡＳＰサーバ１３は、認証機能を終了する。
【００５６】
選択表示手段としてのオペレータ選択機能について説明する。図７は、オペレータ選択機能についてのフローチャートである。
ＡＳＰサーバ１３は、ユーザに対して携帯電話１１にてオペレータ指定ボタンが選択された旨を受信する（ステップ１４１）。尚、オペレータ指定ボタンは、オペレータから案内サービスの提供を受けるために携帯電話１１の表示部に表示されたサービス画面に含まれるボタンオブジェクトである。このとき、ＡＳＰサーバ１３は、オペレータ選択機能に従って、ユーザリスト２１の中から該ユーザの電話番号を検索し、該電話番号が関係付けられている評価リスト２４を検索する（ステップ１４２）。
【００５７】
そして、ＡＳＰサーバ１３は、該評価リスト２４の中から、オペレータリスト２２を参照して勤務状態が「業務開始」であるオペレータ名を抽出し、ユーザの評価が高い順に抽出したオペレータ名を並べ替える（ステップ１４３）。そして、ＡＳＰサーバ１３は、評価順に並び替えたオペレータ名をオペレータ指定画面に関するページデータに組み込み、該ページデータをユーザの携帯電話１１に送信する（ステップ１４４）。
【００５８】
転送手段としての通常転送機能について説明する。図８は、通常転送機能についてのフローチャートである。
ＡＳＰサーバ１３は、前記サービス画面に含まれるボタンオブジェクトである通常接続ボタンが選択された旨を受信すると（ステップ１５１）、オペレータリスト２２の各オペレータ名に関係付けられた勤務データ２６を検索する（ステップ１５２）。そして、ＡＳＰサーバ１３は、勤務データ２６に含まれる勤務状態が「勤務開始」であるオペレータ名に関係付けられたＩＰアドレス２５を検索する（ステップ１５３）。ＡＳＰサーバ１３は、検索したＩＰアドレス２５にて該オペレータ名が示すオペレータの案内端末１４を指定して、該案内端末１４とユーザの携帯電話１１との通話回線を接続する（ステップ１５４）。そして、ＡＳＰサーバ１３は、通常転送機能を終了する。
【００５９】
接続先指定転送手段としての指定付き転送機能について説明する。図９は、指定付き転送機能についてのフローチャートである。
ＡＳＰサーバ１３は、指定接続ボタンが選択された旨を受信すると（ステップ１６１）、該指定接続ボタンが示すオペレータ名を判断する（ステップ１６２）。尚、指定接続ボタンは、ユーザがオペレータを指名して案内サービスの提供を受けるために携帯電話１１に表示されたオペレータ指定画面に含まれるボタンオブジェクトである。そして、ＡＳＰサーバ１３は、オペレータリスト２２から該オペレータ名に関係付けられた勤務データ２６を検索し、勤務データ２６に含まれるオペレータの勤務状態を確認する（ステップ１６３）。そして、ＡＳＰサーバ１３は、該勤務状態が「業務開始」であるか否か判断する（ステップ１６４）。
【００６０】
このとき、オペレータの勤務状態が「勤務開始」である場合、ＡＳＰサーバ１３は、指定接続ボタンにて示されたオペレータ名に関係付けられたＩＰアドレス２５を検索する。そして、ＡＳＰサーバ１３は、該ＩＰアドレス２５にて該オペレータ名が示すオペレータの案内端末１４を指定して、該案内端末１４とユーザの携帯電話１１との通話回線を接続する（ステップ１６５）。そして、ＡＳＰサーバ１３は、指定付き転送機能を終了する。
【００６１】
また、オペレータの勤務状態が「勤務開始」以外である場合、ＡＳＰサーバ１３は、ユーザの携帯電話１１に対して別のオペレータと通話回線を接続する旨のメッセージを送信し、ユーザが指定したオペレータとは異なるオペレータの案内端末１４と通話回線を接続する（ステップ１６６）。携帯電話１１は、受信したメッセージに基づいて、別のオペレータと通話回線を接続する旨のメッセージを音声出力し、ユーザが指定したオペレータとは異なるオペレータの案内端末１４と通話回線が接続される。そして、ＡＳＰサーバ１３は、指定付き転送機能を終了する。
【００６２】
次に管理手段としての管理機能について説明する。図１０は、管理機能についてのフローチャートである。
管理手段としての管理機能は、ＡＳＰサーバ１３が、各オペレータの勤務データ２６を管理する機能である。
【００６３】
詳しくは、ＡＳＰサーバ１３は、オペレータが操作する案内端末１４からオペレータ名と共に勤務状態を示すボタンオブジェクトが選択された旨を受信すると（ステップ１７１）、オペレータリスト２２から該オペレータ名を検索する。そして、ＡＳＰサーバ１３は、該オペレータ名に関係付けられた勤務データ２６に含まれるオペレータの勤務状態を検索し（ステップ１７２）、該勤務状態を選択されたボタンオブジェクトが示す勤務状態に書き換えて記憶する（ステップ１７３）。例えば、オペレータが「業務終了」であることを示すボタンオブジェクトが選択された旨をオペレータ名と共に受信すると、ＡＳＰサーバ１３は、オペレータリスト２２から該オペレータ名を検索する。そして、ＡＳＰサーバ１３は、該オペレータ名に関係付けられた勤務データ２６に含まれるオペレータの勤務状態を「業務終了」に書き換えて記憶する。
【００６４】
また、ＡＳＰサーバ１３は、オペレータの勤務状態が変更されたときの変更履歴を前記勤務データ２６に含まれる勤務記録として記憶する。
次に、案内サービスの提供方法について説明する。
【００６５】
まず、ユーザが案内サービスの提供を受けるための代金を支払うまでの流れを説明する。図１１は、ユーザがＡＳＰサーバ１３に対して登録する際におけるユーザの携帯電話１１の画面遷移図を示している。
【００６６】
ユーザがボタン操作にてＡＳＰサーバ１３を指定するＵＲＬを携帯電話１１に入力すると、携帯電話１１は、インターネット１２を介してＡＳＰサーバ１３にアクセスする。ＡＳＰサーバ１３は、携帯電話１１からアクセスされると、該携帯電話１１に対してメニュー画面５１に関するページデータを送信する。
【００６７】
携帯電話１１は、受信したページデータに基づいて、表示部にメニュー画面５１を表示する。このメニュー画面５１には、携帯電話１１のボタンを操作することにより選択することが可能な複数のボタンオブジェクトが含まれる。メニュー画面５１におけるボタンオブジェクトには、オペレータからの案内サービスを受けるためのサービス開始ボタン５１ａと、案内サービスを利用する際における使用料金を支払うための料金登録ボタン５１ｂと、オペレータの評価を入力するための評価入力ボタン５１ｃが含まれる。尚、図面において、サービス開始ボタン５１ａは「Ｏｐｅｒａｔｏｒ」と示され、料金登録ボタン５１ｂは「Ｃｈａｒｇｅ」と示され、評価入力ボタン５１ｃは「Ｏｐｅｒａｔｏｒ’ｓ  Ｅｖａｌｕａｔｉｏｎ」と示されている。
【００６８】
ここで、ユーザのボタン操作にて料金登録ボタン５１ｂが選択されると、携帯電話１１は、料金登録ボタン５１ｂが選択された旨をＡＳＰサーバ１３に対して送信する。ＡＳＰサーバ１３は、その旨を受信すると、携帯電話１１に対して料金登録画面５２に関するページデータを送信する。携帯電話１１は、受信したページデータに基づいて表示部に料金登録画面５２を表示する。この料金登録画面５２には、文字メッセージと、文字を入力するためのテキストボックスが複数含まれる。料金登録画面５２におけるテキストボックスには、ユーザの電話番号を入力する為のテキストボックス５２ａと、ユーザが店舗にて入手した代金納入用カードのカード番号を入力する為のテキストボックス５２ｂが含まれる。また、料金登録画面５２におけるテキストボックスには、案内サービスの提供をどれだけ受けるかについて、その金額を入力する為のテキストボックス５２ｃと、案内サービスの提供を受ける際に入力するパスワードを設定する為のテキストボックス５２ｄが含まれる。
【００６９】
ここで、ユーザのボタン操作により各テキストボックス５２ａ〜５２ｄにそれぞれ電話番号、カード番号、登録金額及びパスワードが入力されると、携帯電話１１は、入力された電話番号、カード番号、登録金額及びパスワードをＡＳＰサーバ１３に対して送信する。
【００７０】
ＡＳＰサーバ１３は、携帯電話１１から料金登録画面５２にて入力されたユーザの電話番号等を受信すると、前記入金登録機能に従って、それらが管理用記憶装置２０及び代金代納サーバ１７の登録用記憶装置１９に登録されるように処理を行う。
【００７１】
そして、ＡＳＰサーバ１３から入金登録が終了した旨のメッセージデータを受信した場合、携帯電話１１は、受信したメッセージデータに基づいて、表示部に入金登録が終了した旨のメッセージ５３を表示する。
【００７２】
一方、ＡＳＰサーバ１３から二重登録である旨のメッセージデータを受信した場合、携帯電話１１は、該メッセージデータに基づいて、表示部に二重登録である旨のメッセージを表示し、そのとき使用した代金納入用カードと違う代金納入用カードに変えて行うように指示する（図示略）。
【００７３】
携帯電話１１に入金登録が終了した旨のメッセージが表示された後、ユーザは店舗に行き、入金登録の際に使用した代金納入用カードを店員に提示する。店員は、店舗に設置された入力端末１８に、該代金納入用カードのカード番号を入力する。該入力端末１８は、カード番号が入力されると、代金代納サーバ１７に対して該カード番号を送信する。
【００７４】
代金代納サーバ１７は、入力端末１８からカード番号を受信すると、該カード番号リストの中から該カード番号を検索し、該カード番号に関係付けられて記憶されている登録金額を前記入力端末１８に対して送信する。代金代納サーバ１７から前記支払通知機能に従って処理されることにより送信されるユーザが代金納入用カードを使用してＡＳＰサーバ１３に対して登録した登録金額を受信すると、入力端末１８は該登録金額を画面に表示して店員に示す。そして、店員は、その登録金額と同じ金額をユーザに対して請求する。ユーザが代金を支払うと店員は入力端末１８にて支払われた旨を入力する。入力端末１８は、支払い通知を代金代納サーバ１７に対して送信する。
【００７５】
代金代納サーバ１７は、入力端末１８から支払い通知を受信すると、前記支払通知機能に従って、ＡＳＰサーバ１３に対してカード番号及び登録金額と共に支払いされた旨の通知を送信する。
【００７６】
ＡＳＰサーバ１３は、代金代納サーバ１７からその旨の通知を受信すると、入金確認機能に従って、ユーザリスト２１の中から該カード番号を検索する。そして、該カード番号に関係付けられている電話番号を検索し、該電話番号に関係付けられている使用可能金額に対して登録金額を加算する。ＡＳＰサーバ１３は、代金代納サーバ１７に対して確認終了通知を送信する。
【００７７】
このようにして、ユーザは代金納入用カードを使用して案内サービスの提供を受けるためにその使用料金を支払う。
次に、ユーザがオペレータから案内サービスの提供を受けるまでの流れを説明する。図１２及び図１３はオペレータから案内サービスの提供を受けるまでのユーザの携帯電話１１の画面遷移図を示している。
【００７８】
ユーザは、代金納入用カードを提示して案内サービスに対して登録した代金を支払った後、前述したのと同様にして、携帯電話１１にてＡＳＰサーバ１３とアクセスし、表示部にメニュー画面５１を表示させる。
【００７９】
このメニュー画面５１でユーザのボタン操作にてサービス開始ボタン５１ａが選択されると、携帯電話１１は、サービス開始ボタン５１ａが選択された旨をＡＳＰサーバ１３に対して送信する。ＡＳＰサーバ１３は、その旨を受信すると、認証画面５４に関するページデータを携帯電話１１に送信する。携帯電話１１は、受信したページデータに基づいて、認証画面５４を表示部に表示する。認証画面５４には、電話番号を入力するためのテキストボックス５４ａと、パスワードを入力するためのテキストボックス５４ｂが含まれる。ユーザのボタン操作によりテキストボックス５４ａ，５４ｂにそれぞれ電話番号、パスワードが入力されると、携帯電話１１は、ＡＳＰサーバ１３に対してその電話番号及びパスワードを送信する。ＡＳＰサーバ１３は、前記認証機能に基づいて、ユーザの認証を行う。そして、該ユーザが案内サービスの提供を受けることが可能なものであると認めた場合、ＡＳＰサーバ１３は、サービス画面５５に関するページデータを送信する。
【００８０】
携帯電話１１は、受信したページデータに基づいて、サービス画面５５を表示部に表示する。このサービス画面５５には、複数のボタンオブジェクトが含まれている。このボタンオブジェクトには、オペレータを指定しないで接続するための通常接続ボタン５５ａと、オペレータを指定するためのオペレータ指定ボタン５５ｂが含まれる。尚、図１２及び図１３においては、通常接続ボタン５５ａは「Ａｎｙｏｎｅ」と示し、オペレータ指定ボタン５５ｂは「Ｓｅｌｅｃｔｉｏｎ  ｏｆ  Ｏｐｅｒａｔｏｒ」と示している。
【００８１】
サービス画面５５において、ユーザのボタン操作により通常接続ボタン５５ａが選択されると、携帯電話１１は、通常接続ボタン５５ａが選択された旨をＡＳＰサーバ１３に送信する。ＡＳＰサーバ１３は、前記通常転送機能に従って、案内端末１４とユーザの携帯電話１１との通話回線を接続する。
【００８２】
そして、ユーザは、オペレータから案内サービスの提供を受ける。尚、通話回線を接続する前に、ＡＳＰサーバ１３は、認証データ２３に含まれる該ユーザの使用可能金額から、どれだけの時間案内サービスの提供を受けることができるか計算し、計算から得られた残り使用時間を携帯電話１１に送信する。携帯電話１１は、通話回線が接続される前に、その残り時間に関する使用可能期間表示画面５６を表示部に表示する。また、ＡＳＰサーバ１３は、通話回線を接続している間、ユーザリスト２１に含まれる該ユーザの使用可能金額を所定時間ごとに所定金額減算する。そして、使用可能金額が０円になった時点でＡＳＰサーバ１３は、携帯電話１１と案内端末１４との通話回線を切断し、案内サービスの提供を終了する。尚、ユーザが自ら案内サービスの提供を受けるのを終了するときは、ボタン操作により携帯電話１１と案内端末１４との通話回線を切断する。尚、ＡＳＰサーバ１３は、通話回線を切断された後に、認証データ２３に含まれる該ユーザの使用可能金額から、どれだけの時間案内サービスの提供を受けることができるか計算し、計算から得られた残り使用時間に関するメッセージを携帯電話１１に送信する。従って、携帯電話１１は、通話回線が切断されると、残り使用時間に関するメッセージを音声出力する。
【００８３】
また、サービス画面５５において、オペレータ指定ボタン５５ｂが選択されると、携帯電話１１は、オペレータ指定ボタン５５ｂが選択された旨をＡＳＰサーバ１３に対して送信する。ＡＳＰサーバ１３は、その旨を受信すると、前記オペレータ選択機能に基づいて、認証画面５４にて入力された電話番号から該ユーザのオペレータに対する評価リスト２４を検索する。そして、ＡＳＰサーバ１３は、オペレータ選択機能に基づいて、勤務状態が「勤務開始」であるオペレータを抽出し、オペレータに対する該ユーザの評価が高い順に抽出したオペレータ名を並べ替えてオペレータ指定画面５７に関するページデータに組み込み、該ページデータをユーザの携帯電話１１に送信する。
【００８４】
携帯電話１１は、受信したページデータに基づいて、図１３に示すオペレータ指定画面５７を表示部に表示する。オペレータ指定画面５７には、複数のボタンオブジェクトが含まれている。該ボタンオブジェクトには、オペレータを指定して接続するための指定接続ボタン５７ａ〜５７ｃが含まれる。該指定接続ボタン５７ａ〜５７ｃは、指定するオペレータのオペレータ名を表している。例えば、図１３のオペレータ指定画面における指定接続ボタン５７ａは「Ｍｉｋｅ」と表されており、オペレータ名が「Ｍｉｋｅ」というオペレータを指定する際に選択される。また、携帯電話１１は、受信したオペレータ指定画面５７に関するページデータに基づいて、その指定接続ボタン５７ａが示すオペレータ名をユーザの評価の高い順番に表示する。尚、図１３において、指定接続ボタン５７ａ〜５７ｃの後に続く括弧書きの数字は、ユーザからオペレータに対する評価の得点数を表している。
【００８５】
ここで、ユーザのボタン操作にて指定接続ボタン５７ａが選択されると、携帯電話１１は、指定接続ボタン５７ａが選択された旨をＡＳＰサーバ１３に対して送信する。ＡＳＰサーバ１３は、その旨を受信すると、前記指定付き転送機能に従って、該指定接続ボタン５７ａにて表されたオペレータ名が示すオペレータの勤務状態が「業務開始」であることを確認すれば、該オペレータの案内端末１４とユーザの携帯電話１１との通話回線を接続する。以下の案内サービス提供方法の流れは、前述した通常接続の場合と同様であるので省略する。
【００８６】
該指定接続ボタン５７ａにて表されたオペレータ名が示すオペレータの勤務状態が「業務開始」でなければ、ＡＳＰサーバ１３は、指定付き転送機能に従って、携帯電話１１に対して別のオペレータの案内端末１４と接続する旨のメッセージを送信する。携帯電話１１は、受信したメッセージ５８を音声出力し、別のオペレータの案内端末１４と通話回線を接続する。
【００８７】
尚、ＡＳＰサーバ１３には、緊急時転送手段としての緊急時転送機能が備えられている。詳述すると、オペレータは、ユーザに対して案内サービスを提供しているとき、自分の能力ではユーザの要望に沿うことができず、対応困難であると判断すると、ボタンを操作して緊急通知を送信するためのボタンオブジェクトを選択する。すると、案内端末１４は、ＡＳＰサーバ１３に対して現在接続されている携帯電話１１と通話回線を一度切断し、緊急時用案内端末１５に該携帯電話１１との通話回線を接続するように要求する旨の緊急通知をＡＳＰサーバ１３に対して送信する。ＡＳＰサーバ１３は、その緊急通知を受信すると、緊急時転送機能に従って、該案内端末１４と携帯電話１１の通話回線を切断し、専門オペレータリストを参照して、該携帯電話１１と、緊急時用案内端末１５との間の通話回線を接続する。そして、該緊急時用案内端末１５を操作する専門オペレータは、ユーザの要望に沿うように案内サービスを提供する。
【００８８】
次に、オペレータに対するユーザの評価を入力する際の流れを説明する。図１４は、オペレータに対するユーザの評価を入力する際におけるユーザの携帯電話１１の画面遷移図を示している。
【００８９】
ユーザは、オペレータから案内サービスの提供を受けた後、前述したのと同様にして、携帯電話１１にてＡＳＰサーバ１３とアクセスし、表示部にメニュー画面５１を表示させる。このメニュー画面５１でユーザのボタン操作にて評価入力ボタン５１ｃが選択されると、携帯電話１１は、評価入力ボタン５１ｃが選択された旨をＡＳＰサーバ１３に対して送信する。ＡＳＰサーバ１３は、その旨を受信すると、評価入力画面５９に関するページデータを携帯電話１１に送信する。
【００９０】
携帯電話１１は、受信したページデータに基づいて、評価入力画面５９を表示部に表示する。評価入力画面５９には、ユーザが最後に案内サービスの提供を受けたときにおけるオペレータの評価を５段階評価で入力するためのボタンオブジェクト５９ａ〜５９ｅが含まれる。ユーザの操作により該ボタンオブジェクト５９ａ〜５９ｅが選択されると、携帯電話１１は、選択されたオペレータに対する評価を示すボタンオブジェクト５９ａ〜５９ｅをＡＳＰサーバ１３に送信する。ＡＳＰサーバ１３は、オペレータに対する評価を受信すると、ユーザリスト２１の中から認証画面５４にて入力された電話番号を検索し、該電話番号に関係付けられた評価リスト２４を検索する。そして、評価リスト２４の中からユーザが最後に案内サービスの提供を受けたオペレータのオペレータ名を検索し、該評価リスト２４を構成するオペレータ名に選択されたボタンオブジェクト５９ａ〜５９ｅが示す評価を関係付けて記憶する。その後、ＡＳＰサーバ１３は、携帯電話１１に、オペレータに対する評価の入力が完了した旨のメッセージデータを送信する。携帯電話１１は、受信したメッセージデータに基づいて、表示部にメッセージ６０を表示する。
【００９１】
次に、ＡＳＰ契約会社がオペレータの勤務状態を確認する際の流れを説明する。
ＡＳＰ契約会社の社員が、管理端末１６にてＡＳＰサーバ１３にアクセスする。そして、社員の操作によりオペレータ名を指定して勤務時間を要求する旨の通知が入力されると、管理端末１６は、該オペレータ名と共に勤務時間を要求する旨の通知をＡＳＰサーバ１３に送信する。ＡＳＰサーバ１３は、その旨の通知を受信すると、オペレータリスト２２から該通知と共に受信したオペレータ名を検索する。そして、ＡＳＰサーバ１３は、該オペレータ名に関係付けられた勤務データ２６に含まれた勤務記録を検索し、該勤務記録を管理端末１６に対して送信する。ＡＳＰ契約会社の社員が、管理端末１６にて受信した勤務記録を参照し、オペレータの管理や評価を行う。
【００９２】
以上詳述したように本実施形態は、以下の特徴を有する。
（１）ＡＳＰサーバ１３は、オペレータに対するユーザの評価を評価リスト２４として記憶している。また、ＡＳＰサーバ１３は、オペレータ選択機能に従って、携帯電話１１からの指示に応答し、ユーザが案内サービスの提供を受けるオペレータを指定することが可能にするオペレータ指定画面５７に関するページデータを携帯電話１１に送信する。その際、ＡＳＰサーバ１３は、オペレータ選択機能に従って、ユーザが案内サービスを提供するオペレータを指定しやすいように該評価リスト２４を参照して評価の高い順番に指定接続ボタン５７ａ〜５７ｃを並べて表示するようにオペレータ指定画面５７に関するページデータに変更を加える。このため、ユーザの嗜好や要望によりユーザがオペレータを自由に選択でき、また、オペレータ指定画面５７にオペレータに対する評価を反映させることで、ユーザがオペレータを簡単に選択できる。
【００９３】
（２）ＡＳＰサーバ１３は、自宅に設置された案内端末１４と携帯電話１１を接続するので、オペレータを雇用するＡＳＰ契約会社は、一つの場所にオペレータを集める必要が無くなり、多数のオペレータを雇用しても、その場所の管理をしなくてもよくなる。また、ＡＳＰサーバ１３が、管理機能に従って各オペレータの勤務状態を逐次把握し、通常転送機能及び指定付き転送機能に従って、対応可能なオペレータの案内端末１４に対してのみ携帯電話１１との通話回線を接続する。このため、ＡＳＰ契約会社は、多数のオペレータを雇用してもオペレータの管理が容易に行うことができる。従って、ＡＳＰ契約会社は、オペレータを多数雇用することが容易にでき、ユーザの要望に添うだけのオペレータの多様性を確保できる。また、オペレータは、ＡＳＰサーバ１３が勤務状態を逐次把握しているので、比較的自由に自分の勤務時間を定めることができ、オペレータにとって働きやすい。このため、ＡＳＰ契約会社は、比較的容易に多数のオペレータを確保することができる。
【００９４】
さらに、オペレータは、自分の都合のよい勤務地と勤務時間を選択できるので、ＡＳＰ契約会社は、多数のオペレータを雇用すれば、結果的にユーザに対して２４時間体制で案内サービスを提供することができ、ユーザの利便に適う。
【００９５】
（３）オペレータは、対応困難時に特別な訓練を受けた専門オペレータに電話を転送することができる。このため、ＡＳＰ契約会社は、オペレータを雇用する際に、研修期間を短くすることができる。また、オペレータは、自宅で勤務しても、専門オペレータによる十分なサポートを受けることが可能である。従って、オペレータにとって働きやすい。
【００９６】
（４）ユーザは、代金納入用カードを使用して、ＡＳＰサーバに登録金額の登録を行い、また、店舗に対して代金を支払う。このため、ユーザは、クレジットカードの番号のように、ユーザに係わる個人情報を登録する際に入力する必要が無くなり、セキュリティが向上する。また、代金納入用カードは、店舗で配布されているものであり、入手が容易である。また、ＡＳＰサーバに登録金額を登録後に、その際に使用した代金納入用カードを紛失したとしても、第三者に該代金納入用カードを悪用されるおそれはない。つまり、登録後における代金納入用カードは、登録した登録金額の代金を支払うためだけに使用されるものであり、それを第三者が拾ったとしても、キャッシュカードのように、お金を引き出すというような悪用はできないからである。
【００９７】
（５）案内サービスの提供を受けるために、ユーザは、ＡＳＰサーバに電話番号や利用金額を登録し、登録した金額を支払ってからでなくては案内サービスの提供を受けることができない。また、ユーザは、その支払金額の範囲内でしか案内サービスの提供を受けることができない。このため、ＡＳＰ契約会社は使用時間から請求額を計算し、その請求額を請求書にしてユーザに対して郵送する等の請求の手間がいらなくなり、ユーザの管理が容易になる。また、請求書を郵送する必要が無くなるので、ユーザは、個人情報をＡＳＰサーバに対して登録しなくてもよくなる。さらに、ユーザは、自分が支払った代金の分だけ案内サービスの提供を受けることができるので、自分の支払能力を超えてまで案内サービスの提供を受けるような事態をさけることができる。
【００９８】
（６）ＡＳＰ契約会社は、管理端末１６にて、オペレータの勤務時間や現在の勤務状態をＡＳＰサーバ１３から受信することができるので、多数のオペレータを雇用した場合であっても、その管理が容易になる。
【００９９】
なお、上記実施形態は、次のような別の実施形態（別例）にて具体化できる。
○上記実施形態では、オペレータに対する評価は、５段階評価で表していたが、ユーザの携帯電話の表示部に表示できるのならば、それ以外の表現方法でも構わない。例えば、オペレータとの対応時間の蓄積によってオペレータに対する評価としてもよい。つまり、長い期間案内サービスを利用しているようなユーザにとって、対応時間が長ければ長いほど、同じオペレータから何回も案内サービスの提供を受けていることになる。そのように繰り返しオペレータが指定されるということは、そのオペレータに対するユーザの評価が高いと考えられるため、オペレータとの対応時間の蓄積でオペレータに対する評価を示すことになる。このようにすれば、ユーザは、オペレータに対する評価を入力しなくてもよくなる。
【０１００】
○上記実施形態では、ユーザごとにオペレータに対する評価を記憶していたが、オペレータごとの評価が分かるようにしてもよい。つまり、オペレータごとにユーザからの評価を蓄積し、どのオペレータがユーザから高い支持を受けているか判別できるようにしてもよい。このようにすれば、オペレータを雇用しているＡＳＰ契約会社は、オペレータを直接管理していなくても、オペレータがユーザに対してどのように対応しているかその指標にすることができる。
【０１０１】
○上記実施形態では、オペレータに対する評価は、数字にて評価を表していたが、オペレータに対する印象を文章で表してもよい。例えば、前記評価入力画面５９において、オペレータに対する評価を文字で入力するためのテキストボックスを表示し、ユーザのボタン操作により該テキストボックスに入力された評価を携帯電話は、ＡＳＰサーバ１３に送信する。ＡＳＰサーバ１３は、該文字にて表された評価を評価リスト２４のオペレータ名に関係付けて記憶する。そして、ＡＳＰサーバ１３は、オペレータ指定画面５７において、オペレータ名とともに該文字にて表された評価を表示するようにする。
【０１０２】
○上記実施形態では、ＡＳＰサーバ１３は、オペレータ選択機能にて評価の高いオペレータのオペレータ名を順番に表示してユーザにオペレータの指定をさせていたが、評価の最も高いオペレータと接続するような接続手段としての接続機能を備えてもよい。例えば、ＡＳＰサーバ１３は、通常接続ボタン５５ａが選択された旨を受信したとき、接続機能に従って、評価リスト２４を参照して、ユーザの評価の最も高いオペレータ名を検索する。次に、ＡＳＰサーバ１３は、オペレータリスト２２から該オペレータ名に関係付けられた勤務データ２６を検索する。ＡＳＰサーバ１３は、接続機能に従って、該勤務データ２６に含まれる勤務状態が待機中であるならば、該オペレータ名に関係付けられた電話番号を検索し、該電話番号にて該オペレータ名が示すオペレータの案内端末１４を指定して、該案内端末１４とユーザの携帯電話１１との通話回線を接続する。該勤務データ２６に含まれる勤務状態が待機中でない場合、ＡＳＰサーバ１３は、再び評価リスト２４を参照して、次に評価の高いオペレータ名を検索する。そして、ＡＳＰサーバ１３は、同様にして、該オペレータの勤務状態が待機中か否か判断して、通話回線を接続するか否か決定する。以上のように、ＡＳＰサーバ１３が、ユーザの評価の高い順番にオペレータと接続するようにしてもよい。このようにすれば、ユーザはオペレータを選択しなくても自分の要望に添ったオペレータにより案内サービスの提供を受けることができ、かつ、指定したオペレータが対応できないためにユーザに対してオペレータの指定をやり直させる手間も省ける。
【０１０３】
○上記実施形態では、ＡＳＰサーバ１３は通話回線を接続しているときに、携帯電話に利用時間を表示するようにデータを送信していたが、利用金額を表示するようにデータを送信するようにしてもよい。また、ＡＳＰサーバ１３は、通話回線を接続しているときには、常に利用時間を携帯電話１１に送信していたが、通話回線の接続を開始するとき及び通話回線の接続を終了するとき又はそのいずれか一方のときに表示するようにしてもよい。
【０１０４】
○上記実施形態では、代金代納サーバ１７の諸機能をＡＳＰサーバ１３に備えられるならば、代金代納サーバ１７は無くてもよい。
○上記実施形態では、オペレータは、日本語と英語とを話すことができるものであったが、それ以外の言語に対して通訳することができるものでもよい。この場合、例えば、オペレータリスト２２を通訳可能言語別に管理し、ＡＳＰサーバ１３にアクセスする際に携帯電話１１に入力するＵＲＬにて通訳可能な言語を指定できるようにすればよい。
【０１０５】
○上記実施形態では、ＡＳＰサーバ１３は、勤務状態が勤務開始であるオペレータを抽出し、オペレータに対する該ユーザの評価が高い順に抽出したオペレータ名を並べ替えてオペレータ指定画面５７に関するページデータに組み込んだが、抽出せずに単にユーザの評価が高い順に並び替えるだけでも良い。また、ユーザの評価が高い順に並び替え、各オペレータの勤務状態を表示するようにしてオペレータ指定画面５７に関するページデータに組み込んでもよい。
【０１０６】
○上記実施形態では、オペレータの案内端末１４を指定するためにＩＰアドレス２５が使用されたが、代わりに電話番号を使用しても良い。
○上記実施形態において、ユーザが携帯電話にてオペレータから案内サービスの提供を受けている最中に、使用可能時間が残り少なくなってきたら、ＡＳＰサーバ１３は、携帯電話にアラーム音を出力させるようにしても良い。このようにすれば、予告無く突然案内サービスの提供が終了することが無くなる。
【０１０７】
上記実施形態及び別例から把握できる技術的思想を以下に記載する。
（イ）ネットワークを介してユーザが操作する携帯端末とオペレータが操作する案内端末との通話回線を接続するネットワークサーバにおいて、各オペレータに対する評価を表した評価リストをユーザごとに蓄積した管理用記憶手段と、前記携帯端末から受信した該携帯端末固有の認証番号からユーザを判断し、前記管理用記憶手段から該ユーザの評価リストを検索し、ユーザの評価が最も高いオペレータの案内端末と該ユーザの携帯端末との通話回線を接続する接続手段と、を備えたことを特徴とする請求項１〜７のいずれか一項に記載のネットワークサーバ。このようにすれば、ネットワークサーバが、ユーザの評価の最も高いオペレータの案内端末とユーザの携帯電話との通話回線を接続する。このようにすれば、ユーザはオペレータを選択しなくても自分の要望に添ったオペレータにより案内サービスの提供を受けることができ、かつ、指定したオペレータが対応できないためにオペレータの指定をやり直す手間も省ける。また、ＡＳＰサーバは、オペレータの指定が何度も繰り返して行われることが無くなり、ユーザ及びオペレータの管理が容易になる。
【０１０８】
（ロ）前記携帯端末からオペレータに対するユーザの評価を受信し、該ユーザの評価を蓄積することで前記評価リストを作成することを特徴とする請求項１〜３のいずれか一項に記載のネットワークサーバ。
【０１０９】
（ハ）前記携帯端末と前記案内端末との通話回線を接続するとき、前記管理用記憶手段を参照して、該携帯端末から受信した認証番号に関係付けられた前記使用可能金額を検索し、該使用可能金額がサービスの提供を受けるのに充分であるか否か判断し、充分でないと判断した場合に前記携帯端末と前記案内端末との通話回線を接続することを許可する認証手段を備えたことを特徴とする請求項７に記載のネットワークサーバ。
【０１１０】
（ニ）前記携帯端末と前記案内端末との通話回線が接続状態のとき、その接続時間に応じて管理用記憶手段に記憶された該携帯端末のユーザの利用可能金額を減算し、使用可能金額が０になったときに前記通話回線を切断することを特徴とする（ハ）に記載のネットワークサーバ。
【０１１１】
【発明の効果】
以上詳述したように、本発明によれば、ユーザの希望に添ったオペレータにて案内サービスを提供することを可能にし、オペレータの管理を容易にすることができる。
【図面の簡単な説明】
【図１】通信システムの概略構成図。
【図２】ユーザリストを説明するための説明図。
【図３】オペレータリストを説明するための説明図。
【図４】入金登録機能の処理の流れを説明するためのフローチャート。
【図５】入金確認機能の処理の流れを説明するためのフローチャート。
【図６】認証機能の処理の流れを説明するためのフローチャート。
【図７】オペレータ選択機能の処理の流れを説明するためのフローチャート。
【図８】通常転送機能の処理の流れを説明するためのフローチャート。
【図９】指定付き転送機能の処理の流れを説明するためのフローチャート。
【図１０】管理機能の処理の流れを説明するためのフローチャート。
【図１１】ユーザが登録する際における携帯電話の画面遷移図。
【図１２】案内サービスの提供を受けるまでの携帯電話の画面遷移図。
【図１３】案内サービスの提供を受けるまでの携帯電話の画面遷移図。
【図１４】ユーザの評価を入力する際における携帯電話の画面遷移図。
【符号の説明】
１１…携帯電話、１２…インターネット、１３…ＡＳＰサーバ、１４…案内端末、１５…緊急時用案内端末、１６…管理端末、１７…代金代納サーバ、１８…入力端末、２４…評価リスト、２６…勤務データ、５７ａ〜５７ｃ…指定接続ボタン。
【図１】
2004343220.tif 000003
【図２】
2004343220.tif 000004
【図３】
2004343220.tif 000005
【図４】
2004343220.tif 000006
【図５】
2004343220.tif 000007
【図６】
2004343220.tif 000008
【図７】
2004343220.tif 000009
【図８】
2004343220.tif 000010
【図９】
2004343220.tif 000011
【図１０】
2004343220.tif 000012
【図１１】
2004343220.tif 000013
【図１２】
2004343220.tif 000014
【図１３】
2004343220.tif 000015
【図１４】
2004343220.tif 000016